(57)【特許請求の範囲】
【請求項１】
Ｘ線発生器（１）と、該Ｘ線発生器を内部に収納して漏洩Ｘ線を遮蔽する筐体（５）と、被検査物を前記筐体の一端の入口（１５）からＸ線照射領域（Ａ）まで搬入し、且つ前記筐体の他端の出口（１６）に搬出するコンベア（３）とを備え、Ｘ線によって被検査物の異物検査を行うＸ線異物検出装置において、
前記コンベアは前記入口から前記出口まで水平方向に延びている搬送路でなり、
前記筐体内には前記入口の一方の側縁から前記Ｘ線照射領域まで、前記搬送路の幅方向に斜めに延びていて、当該検査物を前記入口から前記Ｘ線照射領域まで案内するための、垂直方向に立設された壁装置（２０）が配置されており、
前記Ｘ線照射領域に照射されて反射されたＸ線を前記壁装置が遮蔽して前記入口から外部に漏洩しないように前記壁装置は少なくとも１箇所で屈曲されていることを特徴とするＸ線異物検出装置。
【請求項２】
Ｘ線発生器（１）と、該Ｘ線発生器を内部に収納して漏洩Ｘ線を遮蔽する筐体（５）と、被検査物を前記筐体の一端の入口（１５）からＸ線照射領域（Ａ）まで搬入し、且つ前記筐体の他端の出口（１６）に搬出するコンベア（３）とを備え、Ｘ線によって被検査物の異物検査を行うＸ線異物検出装置において、
前記コンベアは前記入口から前記出口まで水平方向に延びている搬送路でなり、
前記入口の幅方向に位置し奥側である第１ポイント（Ｐ１）および手前側である第２ポイント（Ｐ２）と、
前記Ｘ線照射領域の幅方向に位置し該第２ポイントよりも幅方向で手前側に位置する第３ポイント（Ｐ３）および該第３ポイントよりも幅方向で手前側に位置する第４ポイント（Ｐ４）を備え、
前記第１ポイントと第３ポイントを結んだ第１仮想直線（Ｌ１）に対し、
前記第２ポイントからコンベアの搬送方向に沿って延出させ、前記第１仮想直線を超えた位置に第１の屈曲ポイント（Ｔ１）を設け、
前記第２ポイントと該第１の屈曲ポイントとを結んだ形状を有する第１の壁装置（２０Ｂａ）と、該第１の屈曲ポイントと前記第４ポイントとを結んだ形状を有する第２の壁装置（２０Ｂｂ）の少なくとも一方と、
前記第１ポイントと前記第３ポイントとを結んだ形状を有する第３の壁装置（２０Ａａ，２０Ａｂ）を備え、
前記第１、第２、第３の壁装置は垂直方向に立設され、前記被検査物を前記入口から前記Ｘ線照射領域まで案内し、前記Ｘ線照射領域に照射されて反射されたＸ線を遮蔽して前記入口から外部に漏洩しないようになっていることを特徴とするＸ線異物検出装置。
【発明の詳細な説明】
【０００１】
【発明の属する技術分野】
本発明は、被検査物を搬送させながら内部の異物を検出するＸ線異物検出装置に関し、特に、Ｘ線の漏洩の防止しつつ被検査物の搬送を安定化させたＸ線異物検出装置に関する。
【０００２】
【従来の技術】
図１１は、Ｘ線異物検出装置の構成を示す平面図である。
Ｘ線異物検出装置５０は、被検査物をコンベア５１で搬送方向Ｘに沿って搬送させながら、Ｘ線発生部のＸ線を被検査物に曝射させ（図中照射領域Ａ）、被検査物を透過したＸ線を下方のＸ線検出部で検出し、被検査物内の異物（例えば、金属、骨、木材、合成樹脂など）を検出する構成である。
このＸ線異物検出装置５０には、Ｘ線発生部から曝射されたＸ線が外部に漏洩しないよう、筐体５５は、コンベアの全長に渡って覆うＸ線遮蔽の金属材で形成されてなる。
【０００３】
Ｘ線異物検出装置内でＸ線発生部から照射されたＸ線の殆どは被検査物を透過し、Ｘ線検出部に到達する。しかし、一部のＸ線は被検査物や筐体５５に反射されて図中矢印で示す方向に反射し、一部は筐体５５に設けられた一対の出入口５５ａからの漏洩Ｘ線となる。漏洩Ｘ線は人体への影響があるため極力減らす必要がある。
【０００４】
このため、図１１に示すように、コンベア５１の搬送方向に複数枚の遮蔽用カーテン５６を設けてＸ線の漏洩を防止するよう構成されている。この遮蔽用カーテン５６は、可撓性を有する薄い鉛入りゴムカーテン等によって構成されている
。
【０００５】
【発明が解決しようとする課題】
図１１に示す構造では、遮蔽用カーテン５６が鉛製等の為に搬送の抵抗となるため、被検査物Ｗが背が高かったり、軽量であったり、引っかかりやすい形状の場合、被検査物Ｗがコンベア５１の搬送途中で遮蔽用カーテン５６に接触した際、引っかかって停止したり、被検査物Ｗが倒れたり反転する等の問題が生じた。なお、搬送力を増すためにコンベア５１のベルトに摩擦係数の高いものを用いても遮蔽用カーテン５６の抵抗により上記同様の問題が生じた。
【０００６】
上記の不具合を解消するため、図１２の平面図に示すように、遮蔽用カーテン５６を用いない構成のものがある。Ｘ線異物検出装置６０の筐体６５に設けられる一対の出入口６５ａに隣接して設けられるコンベア６６には、それぞれ所定長の漏洩防止用カバー６６ａが設けられる。Ｘ線は距離の２乗で減衰する特性を有するため、この漏洩防止用カバー６６ａが有する所定長によりＸ線を減衰させて開口部６６ｂからのＸ線の外部漏洩を防止することが出来る。
しかしながら、図１２記載の構成では、Ｘ線異物検出装置６０はコンベアの搬送方向の長さ（機長）が長くなり、設置スペースが余分に必要となるため、既存のライン上で上記漏洩防止用カバー６６ａを設けることができない場合にはＸ線漏洩を防止できなかった。
【０００７】
また、他の構造として図１３の正面図に示す構成のものがある（特開平１１−１９４１０４号公報）。この構造のＸ線異物検出装置７０は、筐体７１内での搬送経路を変形させたものであり、複数のコンベア７２ａ〜７２ｃを用いてなる。出入口７５ａ側のコンベア７２ａ、７２ｃはそれぞれ高さ方向に傾斜させ、Ｘ線照射位置のコンベア７２ｂは水平に設けられている。
このような構成によれば、Ｘ線発生部７３から曝射されたＸ線は、コンベア７２ａ〜７２ｃ相互の傾斜角度によって、図中点線で示すように、出入口７５ａから外部へのＸ線の直接的な漏洩を防止でき、図１０に比して短い機長でＸ線の漏洩を防止できるようになる。
【０００８】
しかしながら、図１１記載の構成では、コンベア７２ａ、７２ｃが高さ方向に傾斜配置されているため、このコンベア７２ａ、７２ｃ部分で被検査物Ｗが転倒しやすく、円滑な搬送及び異物検査が行えない問題があった。
【０００９】
本発明は、上記課題を解決するためになされたものであり、機長が短くてもＸ線の漏れを防止でき、被検査物を安定して搬送できるＸ線異物検出装置を提供することを目的としている。
【００１０】
【課題を解決するための手段】
上記目的を達成するため、本発明の請求項１記載のＸ線異物検出装置は、Ｘ線発生器１と、該Ｘ線発生器を内部に収納して漏洩Ｘ線を遮蔽する筐体５と、被検査物を前記筐体の一端の入口１５からＸ線照射領域Ａまで搬入し、且つ前記筐体の他端の出口１６に搬出するコンベア３とを備え、Ｘ線によって被検査物の異物検査を行うＸ線異物検出装置において、
前記コンベアは前記入口から前記出口まで水平方向に延びている搬送路でなり、
前記筐体内には前記入口の一方の側縁から前記Ｘ線照射領域まで、前記搬送路の幅方向に斜めに延びていて、当該検査物を前記入口から前記Ｘ線照射領域まで案内するための、垂直方向に立設された壁装置２０が配置されており、
前記Ｘ線照射領域に照射されて反射されたＸ線を前記壁装置が遮蔽して前記入口から外部に漏洩しないようになっていることを特徴とする。
【００１１】
また、図３（ｂ）に示すように、請求項２は、Ｘ線発生器１と、該Ｘ線発生器を内部に収納して漏洩Ｘ線を遮蔽する筐体５と、被検査物を前記筐体の一端の入口１５からＸ線照射領域Ａまで搬入し、且つ前記筐体の他端の出口１６に搬出するコンベア３とを備え、Ｘ線によって被検査物の異物検査を行うＸ線異物検出装置において、
前記コンベアは前記入口から前記出口まで水平方向に延びている搬送路でなり、
前記入口の幅方向に位置し奥側である第１ポイントＰ１および手前側である第２ポイントＰ２と、
前記Ｘ線照射領域の幅方向に位置し該第２ポイントよりも幅方向で手前側に位置する第３ポイントＰ３および該第３ポイントよりも幅方向で手前側に位置する第４ポイントＰ４を備え、
前記第１ポイントと第３ポイントを結んだ第１仮想直線Ｌ１に対し、
前記第２ポイントからコンベアの搬送方向に沿って延出させ、前記第１仮想直線を超えた位置に第１の屈曲ポイントＴ１を設け、
前記第２ポイントと該第１の屈曲ポイントとを結んだ形状を有する第１の壁装置２０Ｂａと、該第１の屈曲ポイントと前記第４ポイントとを結んだ形状を有する第２の壁装置２０Ｂｂの少なくとも一方と、
前記第１ポイントと前記第３ポイントとを結んだ形状を有する第３の壁装置２０Ａａ，２０Ａｂを備え、
前記第１、第２、第３の壁装置は垂直方向に立設され、前記被検査物を前記入口から前記Ｘ線照射領域まで案内し、前記Ｘ線照射領域に照射されて反射されたＸ線を遮蔽して前記入口から外部に漏洩しないようになっていることを特徴とする。
【００１２】
また、請求項１発明は、図３（ｃ）に示すように、Ｘ線発生器１と、該Ｘ線発生器を内部に収納して漏洩Ｘ線を遮蔽する筐体５と、被検査物を前記筐体の一端の入口１５からＸ線照射領域Ａまで搬入し、且つ前記筐体の他端の出口１６に搬出するコンベア３とを備え、Ｘ線によって被検査物の異物検査を行うＸ線異物検出装置において、
前記コンベアは前記入口から前記出口まで水平方向に延びている搬送路でなり、
前記入口の幅方向に位置し奥側である第１ポイントＰ１および手前側である第２ポイントＰ２と、
前記Ｘ線照射領域の幅方向に位置し該第１ポイントよりも幅方向で奥側に位置する第５ポイントＰ５および該第５ポイントよりも幅方向で奥側に位置する第６ポイントＰ６を備え、
前記第２ポイントと第５ポイントを結んだ第２仮想直線Ｌ２に対し、
前記第１ポイントからコンベアの搬送方向に沿って延出させ、前記第２仮想直線を超えた位置に第２の屈曲ポイントＴ２を設け、
前記第１ポイントと該第２の屈曲ポイントとを結んだ形状を有する第４の壁装置２０Ａａと、該第２の屈曲ポイントと前記第６ポイントとを結んだ形状を有する第５の壁装置２０Ａｂの少なくとも一方と、
前記第２ポイントと前記第５ポイントとを結んだ形状を有する第６の壁装置２０Ｂａ，２０Ｂｂとを備え、
前記第４、第５、第６の壁装置は垂直方向に立設され、前記被検査物を前記入口から前記Ｘ線照射領域まで案内し、前記Ｘ線照射領域に照射されて反射されたＸ線を遮蔽して前記入口から外部に漏洩しない構成とすることができる。
【００１３】
また、請求項１発明は、図４（ａ）に示すように、Ｘ線発生器１と、該Ｘ線発生器を内部に収納して漏洩Ｘ線を遮蔽する筐体５と、被検査物を前記筐体の一端の入口１５からＸ線照射領域Ａまで搬入し、且つ前記筐体の他端の出口１６に搬出するコンベア３とを備え、Ｘ線によって被検査物の異物検査を行うＸ線異物検出装置において、
前記コンベアは前記入口から前記出口まで水平方向に延びている搬送路でなり、
前記入口の幅方向に位置し奥側である第１ポイントＰ１および手前側である第２ポイントＰ２と、
前記Ｘ線照射領域の幅方向に位置し前記第２ポイントよりも幅方向で手前側に位置する第３ポイントＰ３および該第３ポイントよりも幅方向で手前側に位置する第４ポイントＰ４と、
前記第１ポイントおよび第２ポイントからコンベアの搬送方向に沿ってそれぞれ延出させ任意の位置に設けた第３の屈曲ポイントＴ３および第４の屈曲ポイントＴ４と、
前記第３ポイントおよび前記第４ポイントからコンベアの搬送方向の逆方向に沿ってそれぞれ延出させ任意の位置に設けた第５の屈曲ポイントＴ５および第６の屈曲ポイントＴ６を有し、
前記第１ポイントと前記第２ポイントを結んだ第３仮想直線Ｌ３、および前記第３ポイントと前記第４ポイントを結んだ第４仮想直線Ｌ４に対し、
前記第４の屈曲ポイントと前記第５の屈曲ポイントを通過する第５仮想直線Ｌ５が前記第３仮想直線と該第４仮想直線の少なくとも一方と交わらず、
前記第２ポイントと前記第４の屈曲ポイントとを結んだ形状を有する第７の壁装置２０Ｂｃと、前記第４の屈曲ポイントと前記第６の屈曲ポイントとを結んだ形状を有する第８の壁装置２０Ｂｂの少なくとも一方と、
前記第３の屈曲ポイントと前記第５の屈曲ポイントを通過して前記第１ポイントと前記第３ポイントとを結んだ形状を有する第９の壁装置２０Ａａ，２０Ａｂ，２０Ａｃを備え、
前記第７、第８、第９の壁装置は、垂直方向に立設され、前記被検査物を前記入口から前記Ｘ線照射領域まで案内し、前記Ｘ線照射領域に照射されて反射されたＸ線を遮蔽して前記入口から外部に漏洩しない構成とすることができる。
【００１４】
また、請求項１発明は、図４（ｂ）に示すように、Ｘ線発生器１と、該Ｘ線発生器を内部に収納して漏洩Ｘ線を遮蔽する筐体５と、被検査物を前記筐体の一端の入口１５からＸ線照射領域Ａまで搬入し、且つ前記筐体の他端の出口１６に搬出するコンベア３とを備え、Ｘ線によって被検査物の異物検査を行うＸ線異物検出装置において、
前記コンベアは前記入口から前記出口まで水平方向に延びている搬送路でなり、
前記入口の幅方向に位置し奥側である第１ポイントＰ１および手前側である第２ポイントＰ２と、
前記Ｘ線照射領域の幅方向に位置し前記第１ポイントよりも幅方向で奥側に位置する第５ポイントＰ５および該第５ポイントよりも幅方向で奥側に位置する第６ポイントＰ６と、
前記第１ポイントおよび前記第２ポイントからコンベアの搬送方向に沿ってそれぞれ延出させ任意の位置に設けた第７の屈曲ポイントＴ７および第８の屈曲ポイントＴ８と、
前記第５ポイントおよび前記第６ポイントからコンベアの搬送方向の逆方向に沿ってそれぞれ延出させ任意の位置に設けた第９の屈曲ポイントＴ９および第１０の屈曲ポイントＴ１０を備え、
前記第１ポイントと前記第２ポイントを結んだ第３仮想直線Ｌ３、および前記第５ポイントと前記第６ポイントを結んだ第６仮想直線Ｌ６に対し、
前記第７の屈曲ポイントと前記第９の屈曲ポイントを通過する第７仮想直線Ｌ７が前記第３仮想直線と前記第６仮想直線の少なくとも一方と交わらず、
前記第１ポイントと前記第７の屈曲ポイントとを結んだ形状を有する第１０の壁装置２０Ａｃと、前記第７の屈曲ポイントと前記第１０の屈曲ポイントとを結んだ形状を有する第１１の壁装置２０Ａｂの少なくとも一方と、
前記第８の屈曲ポイントと前記第９の屈曲ポイントを通過して前記第２ポイントと前記第５ポイントとを結んだ形状を有する第１２の壁装置２０Ｂａ，２０Ｂｂ，２０Ｂｃを備え、
前記第１０、第１１、第１２の壁装置は、垂直方向に立設され、前記被検査物を前記入口から前記Ｘ線照射領域まで案内し、前記Ｘ線照射領域に照射されて反射されたＸ線を遮蔽して前記入口から外部に漏洩しない構成とすることができる。
【００１５】
また、請求項１発明は、図５（ａ）に示すように、Ｘ線発生器１と、該Ｘ線発生器を内部に収納して漏洩Ｘ線を遮蔽する筐体５と、被検査物を前記筐体の一端の入口１５からＸ線照射領域Ａまで搬入し、且つ前記筐体の他端の出口１６に搬出するコンベア３とを備え、Ｘ線によって被検査物の異物検査を行うＸ線異物検出装置において、
前記コンベアは前記入口から前記出口まで水平方向に延びている搬送路でなり、
前記出口の幅方向で奥側である第７ポイントＰ７および手前側である第８ポイントＰ８と、
前記Ｘ線照射領域の幅方向に位置し該第８ポイントよりも幅方向で手前側に位置する第９ポイントＰ９および該第９ポイントよりも幅方向で手前側に位置する第１０ポイントＰ１０を備え、
前記第７ポイントと前記第９ポイントを結んだ第８仮想直線Ｌ８に対し、  前記第８ポイントからコンベアの搬送方向の逆方向に沿って延出させ、前記第８仮想直線を超えた位置に第１１の屈曲ポイントＴ１１を設け、
該第１１の屈曲ポイントを通過して前記第８ポイントと前記第１０ポイントとを結んだ形状を有する第１３の壁装置２１Ｂａ，２１Ｂｂを備え、
前記第１３の壁装置は垂直方向に立設され、前記検査物を前記Ｘ線照射領域から前記出口まで案内し、前記Ｘ線照射領域に照射されて反射されたＸ線を遮蔽して前記出口から外部に漏洩しない構成とすることができる。
【００１６】
また、請求項１発明は、図５（ｂ）に示すように、Ｘ線発生器１と、該Ｘ線発生器を内部に収納して漏洩Ｘ線を遮蔽する筐体５と、被検査物を前記筐体の一端の入口１５からＸ線照射領域Ａまで搬入し、且つ前記筐体の他端の出口１６に搬出するコンベア３とを備え、Ｘ線によって被検査物の異物検査を行うＸ線異物検出装置において、
前記コンベアは前記入口から前記出口まで水平方向に延びている搬送路でなり、
前記出口の幅方向で奥側である第７ポイントＰ７および手前側である第８ポイントＰ８と、
前記Ｘ線照射領域の幅方向に位置し該第７ポイントよりも幅方向で奥側に位置する第１１ポイントＰ１１および該第１１ポイントよりも幅方向で奥側に位置する第１２ポイントＰ１２を備え、
前記第８ポイントと前記第１１ポイントを結んだ第９仮想直線Ｌ９に対し、
前記第７ポイントからコンベアの搬送方向の逆方向に沿って延出させ、前記第９仮想直線を超えた位置に第１２の屈曲ポイントＴ１２を設け、
該第１２の屈曲ポイントを通過して前記第７ポイントと前記第１２ポイントとを結んだ形状を有する第１４の壁装置２１Ａａ，２１Ａｂを備え、
前記第１４の壁装置は垂直方向に立設され、前記検査物を前記Ｘ線照射領域から前記出口まで案内し、前記Ｘ線照射領域に照射されて反射されたＸ線を遮蔽して前記出口から外部に漏洩しない構成とすることができる。
【００１７】
また、請求項１発明は、図６（ａ）に示すように、Ｘ線発生器１と、該Ｘ線発生器を内部に収納して漏洩Ｘ線を遮蔽する筐体５と、被検査物を前記筐体の一端の入口１５からＸ線照射領域Ａまで搬入し、且つ前記筐体の他端の出口１６に搬出するコンベア３とを備え、Ｘ線によって被検査物の異物検査を行うＸ線異物検出装置において、
前記コンベアは前記入口から前記出口まで水平方向に延びている搬送路でなり、
前記出口の幅方向で奥側である第７ポイントＰ７および手前側である第８ポイントＰ８と、
前記Ｘ線照射領域の幅方向に位置し前記第８ポイントよりも幅方向で手前側に位置する第９ポイントＰ９および該第９ポイントよりも幅方向で手前側に位置する第１０ポイントＰ１０と、
前記第７ポイントおよび前記第８ポイントからコンベアの搬送方向の逆方向に沿ってそれぞれ延出させ任意の位置に設けた第１３の屈曲ポイントＴ１３および第１４の屈曲ポイントＴ１４と、
前記第９ポイントおよび前記第１０ポイントからコンベアの搬送方向に沿ってそれぞれ延出させ任意の位置に設けた第１５の屈曲ポイントＴ１５および第１６の屈曲ポイントＴ１６を備え、
前記第７ポイントと前記第８ポイントを結んだ第１０仮想直線Ｌ１０、および前記第９ポイントと前記第１０ポイントを結んだ第１１仮想直線Ｌ１１に対し、  前記第１４の屈曲ポイントと前記第１５の屈曲ポイントを通過する第１２仮想直線Ｌ１２が該第１０仮想直線と該第１１仮想直線の少なくとも一方と交わらず、
前記第９ポイントと前記第１５の屈曲ポイントとを結んだ形状を有する第１５の壁装置２１Ａａと前記第１５の屈曲ポイントと前記第１３の屈曲ポイントとを結んだ形状を有する第１６の壁装置２１Ａｂの少なくとも一方と、
前記第１４の屈曲ポイントと前記第１６の屈曲ポイントを通過して前記第８ポイントと前記第１０ポイントとを結んだ形状を有する第１７の壁装置２１Ｂａ，２１Ｂｂ，２１Ｂｃを備え、
前記第１５、第１６、第１７の壁装置は垂直方向に立設され、前記検査物を前記Ｘ線照射領域から前記出口まで案内し、前記Ｘ線照射領域に照射されて反射されたＸ線を遮蔽して前記出口から外部に漏洩しない構成とすることができる。
【００１８】
また、請求項１発明は、図６（ｂ）に示すように、Ｘ線発生器１と、該Ｘ線発生器を内部に収納して漏洩Ｘ線を遮蔽する筐体５と、被検査物を前記筐体の一軸の入口１５からＸ線照射領域Ａまで搬入し、且つ前記筐体の他端の出口１６に搬出するコンベア３とを備え、Ｘ線によって被検査物の異物検査を行うＸ線異物検出装置において、
前記コンベアは前記入口から前記出口まで水平方向に延びている搬送路でなり、
前記出口の幅方向で奥側である第７ポイントＰ７および手前側である第８ポイントＰ８と、
前記Ｘ線照射領域の幅方向に位置し前記第７ポイントよりも幅方向で奥側に位置する第１１ポイントＰ１１および該第１１ポイントよりも幅方向で奥側に位置する第１２ポイントＰ１２と、
前記第７ポイントおよび前記第８ポイントからコンベアの搬送方向の逆方向に沿ってそれぞれ延出させ任意の位置に設けた第１７の屈曲ポイントＴ１７および第１８の屈曲ポイントＴ１８と、
前記第１１ポイントおよび前記第１２ポイントからコンベアの搬送方向に沿つてそれぞれ延出させ任意の位置に設けた第１９の屈曲ポイントＴ１９および第２０の屈曲ポイントＴ２０を備え、
前記第７ポイントと前記第８ポイントを結んだ第１０仮想直線Ｌ１０、および前記第１１ポイントと前記第１２ポイントを結んだ第１３仮想直線Ｌ１３に対し、
前記第１７の屈曲ポイントと前記第１９の屈曲ポイントを通過する第１４仮想直線Ｌ１４が前記第１０仮想直線と該第１３仮想直線の少なくとも一方と交わらず、
前記第１１ポイントと前記第１９の屈曲ポイントとを結んだ形状を有する第１８の壁装置２１Ｂａと前記第１９の屈曲ポイントと前記第１８の屈曲ポイントとを結んだ形状を有する第１９の壁装置２１Ｂｂの少なくとも一方と、
前記第１７の屈曲ポイントと前記第２０の屈曲ポイントを通過して前記第７ポイントと前記第１２ポイントとを結んだ形状を有する第２０の壁装置２１Ａａ，２１Ａｂ，２１Ａｃを備え、
前記第１８、、第１９、第２０の壁装置は垂直方向に立設され、前記検査物を前記Ｘ線照射領域から前記出口まで案内し、前記Ｘ線照射領域に照射されて反射されたＸ線を遮蔽して前記出口から外部に漏洩しない構成とすることができる。
【００１９】
また、請求項１発明は、図９（ａ）に示すように、Ｘ線発生器（１）と、該Ｘ線発生器を内部に収納して漏洩Ｘ線を遮蔽する筐体（５）と、被検査物を前記筐体の一端の入口（１５）からＸ線照射領域（Ａ）まで搬入し、且つ前記筐体の他端の出口（１６）に搬出するコンベア（３）とを備え、Ｘ線によって被検査物の異物検査を行うＸ線異物検出装置において、
前記コンベアは前記入口から前記出口まで水平方向に延びている搬送路でなり、
前記入口の幅方向に位置し奥側である第１ポイント（Ｐ１）および手前側である第２ポイント（Ｐ２）と、
前記Ｘ線照射領域の幅方向に位置し該第２ポイントよりも幅方向で手前側に位置する第３ポイント（Ｐ３）および該第３ポイントよりも幅方向で手前側に位置する第４ポイント（Ｐ４）を備え、
前記第２ポイントと第４ポイントを結んだ第１６仮想直線（Ｌ１６）に対し、  前記第３ポイントからコンベアの搬送方向の逆方向に沿って延出させ、前記第１６仮想直線を超えた位置に第２１の屈曲ポイント（Ｔ２１）を設け、
該第２１の屈曲ポイントを通過して前記第１ポイントと第３ポイントとを結んだ形状を有する第２１の壁装置（２０Ａａ，２０Ａｂ）を備え、
前記第２１の壁装置は垂直方向に立設され、前記被検査物を前記入口から前記Ｘ線照射領域まで案内し、前記Ｘ線照射領域に照射されて反射されたＸ線を遮蔽して前記入口から外部に漏洩しない構成とすることができる。
【００２０】
また、請求項１発明は、図９（ｂ）に示すように、Ｘ線発生器（１）と、該Ｘ線発生器を内部に収納して漏洩Ｘ線を遮蔽する筐体（５）と、被検査物を前記筐体の一端の入口（１５）からＸ線照射領域（Ａ）まで搬入し、且つ前記筐体の他端の出口（１６）に搬出するコンベア（３）とを備え、Ｘ線によって被検査物の異物検査を行うＸ線異物検出装置において、
前記コンベアは前記入口から前記出口まで水平方向に延びている搬送路でなり、
前記入口の幅方向に位置し奥側である第１ポイント（Ｐ１）および手前側である第２ポイント（Ｐ２）と、
前記Ｘ線照射領域の幅方向に位置し該第１ポイントよりも幅方向で奥側に位置する第５ポイント（Ｐ５）および該第５ポイントよりも幅方向で奥側に位置する第６ポイント（Ｐ６）を備え、
前記第１ポイントと第６ポイントを結んだ第１７仮想直線（Ｌ１７）に対し、  前記第５ポイントからコンベアの搬送方向と逆方向に沿って延出させ、前記第１７仮想直線を超えた位置に第２２の屈曲ポイント（Ｔ２２）を設け、
該第２２の屈曲ポイントを通過して前記第２のポイントと前記第５のポイントとを結んだ形状を有する第２２の壁装置（２０Ｂａ，２０Ｂｂ）を備え、
前記第２２の壁装置は垂直方向に立設され、前記被検査物を前記入口から前記Ｘ線照射領域まで案内し、前記Ｘ線照射領域に照射されて反射されたＸ線を遮蔽して前記入口から外部に漏洩しない構成とすることができる。
【００２１】
また、請求項１発明は、図１０（ａ）に示すように、Ｘ線発生器（１）と、該Ｘ線発生器を内部に収納して漏洩Ｘ線を遮蔽する筐体（５）と、被検査物を前記筐体の一端の入口（１５）からＸ線照射領域（Ａ）まで搬入し、且つ前記筐体の他端の出口（１６）に搬出するコンベア（３）とを備え、Ｘ線によって被検査物の異物検査を行うＸ線異物検出装置において、
前記コンベアは前記入口から前記出口まで水平方向に延びている搬送路でなり、
前記出口の幅方向で奥側である第７ポイント（Ｐ７）および手前側である第８ポイント（Ｐ８）と、
前記Ｘ線照射領域の幅方向に位置し該第８ポイントよりも幅方向で手前側に位置する第９ポイント（Ｐ９）および該第９ポイントよりも幅方向で手前側に位置する第１０ポイント（Ｐ１０）を備え、
前記第８ポイントと前記第１０ポイントを結んだ第１８仮想直線（Ｌ１８）に対し、前記第９ポイントからコンベアの搬送方向に沿って延出させ、前記第１８仮想直線を超えた位置に第２３の屈曲ポイント（Ｔ２３）を設け、
前記第９ポイントと該第２３の屈曲ポイントとを結んだ形状を有する第２３の壁装置（２１Ａａ）と、該第２３の屈曲ポイントと前記第７ポイントとを結んだ形状を有する第２４の壁装置（２１Ａｂ）の少なくとも一方と、
前記第１０ポイントと前記第８ポイントとを結んだ形状を有する第２５の壁装置（２１Ｂａ，２１Ｂｂ）を備え、
前記第２３、第２４、第２５の壁装置は垂直方向に立設され、前記検査物を前記Ｘ線照射領域から前記出口まで案内し、前記Ｘ線照射領域に照射されて反射されたＸ線を遮蔽して前記出口から外部に漏洩しない構成とすることができる。
【００２２】
また、請求項１発明は、図１０（ｂ）に示すように、Ｘ線発生器（１）と、該Ｘ線発生器を内部に収納して漏洩Ｘ線を遮蔽する筐体（５）と、被検査物を前記筐体の一端の入口（１５）からＸ線照射領域（Ａ）まで搬入し、且つ前記筐体の他端の出口（１６）に搬出するコンベア（３）とを備え、Ｘ線によって被検査物の異物検査を行うＸ線異物検出装置において、
前記コンベアは前記入口から前記出口まで水平方向に延びている搬送路でなり、
前記出口の幅方向で奥側である第７ポイント（Ｐ７）および手前側である第８ポイント（Ｐ８）と、
前記Ｘ線照射領域の幅方向に位置し該第７ポイントよりも幅方向で奥側に位置する第１１ポイント（Ｐ１１）および該第１１ポイントよりも幅方向で奥側に位置する第１２ポイント（Ｐ１２）を備え、
前記第７ポイントと前記第１２ポイントを結んだ第１９仮想直線（Ｌ１９）に対し、
前記第１１ポイントからコンベアの搬送方向に沿って延出させ、前記第１９仮想直線を超えた位置に第２４の屈曲ポイント（Ｔ２４）を設け、
前記第１１ポイントと該第２４の屈曲ポイントとを結んだ形状を有する第２６の壁装置（２１Ｂａ）と、該第２４の屈曲ポイントと前記第８ポイントとを結んだ形状を有する第２７の壁装置（２１Ｂｂ）の少なくとも一方と、
前記第１２ポイントと前記第７ポイントとを結んだ形状を有する第２８の壁装置（２１Ａａ，２１Ａｂ）を備え、
前記第２６、第２７、第２８の壁装置は垂直方向に立設され、前記検査物を前記Ｘ線照射領域から前記出口まで案内し、前記Ｘ線照射領域に照射されて反射されたＸ線を遮蔽して前記出口から外部に漏洩しない構成とすることができる。
【００２３】
上記構成によれば、筐体５内で被検査物Ｗを搬送するコンベア３上には、壁装置２０が設けられる。入口、出口から見てＸ線の照射領域Ａは、壁装置２０内に設けられた１つあるいは複数の屈曲ポイントＴにより見通せない状態に屈曲されており、照射位置ＡのＸ線が入口、出口から外部漏洩することを防止する。コンベア３は、被検査物Ｗを水平に搬送するため、被検査物Ｗが転倒することなく安定した搬送が行える。
【００２４】
【発明の実施の形態】
以下、本発明の実施の形態を図面を参照して具体的に説明する。
図１は本発明のＸ線異物検出装置の一例を示す斜視図、図２は同装置の正面図である。Ｘ線異物検出装置は、主に、Ｘ線を発生するＸ線発生部１と、Ｘ線発生部１からのＸ線を受けるＸ線検出部２と、Ｘ線発生部１とＸ線検出部２の間に被検査物（不図示）を通過させるよう搬送するコンベア３とからなる。
【００２５】
Ｘ線発生部１は、Ｘ線異物検出装置の本体をなす筐体５の上部に配置され、下方に向けてスリットにより所定の幅及び長さ（走査幅）を有するライン状にＸ線を曝射させる。このライン状のＸ線の照射領域をＡとする。曝射されたＸ線を受けるＸ線検出部２は、筐体５の下部に配置されたコンベア３の金属箱に内蔵されている。上記Ｘ線発生部１から曝射されたＸ線を受けるように構成されている。Ｘ線検出部２では、このＸ線を光変換し、不図示のＸ線処理部に出力する。
【００２６】
筐体５は、コンベア３の配置箇所が正面側及び搬送方向前方及び後方が開口する収容部５ａが形成され、側面の一部と裏面だけが上下に連続して形成されている。コンベア３は、金属箱部分の側面（搬送方向に沿った一側面）が筐体５側に固定され、水平な所定の搬送長を有して被検査物を搬送させる。
この搬送途中でＸ線発生部１からＸ線検出部２に向けて曝射された面状のＸ線に被検査物を通過させる。図示の例では、コンベア３の搬送長（Ｘ線検出装置の機長）は、筐体５の幅より長く、コンベア３は筐体５から搬送方向前後にそれぞれ突出している。
【００２７】
このコンベア３は、ローラ８、モータユニット４、搬送ベルト１０を備える。ローラ８は、搬送方向の前後部にそれぞれ２個づつ配置されこれらが高さ方向に所定の高さを有しており、搬送ベルト１０内面側にＸ線検出部２を収容可能である。
【００２８】
コンベア３は、全体が前カバー１２、後カバー１３、正面カバー１４によってＸ線の漏洩を防ぐように覆われている。前カバー１２、後カバー１３には、被検査物が搬入されるために開口部１５，１６が開口形成されている。
また、正面カバー１４は、筐体５の正面側に設けられコンベア３の正面側を覆う。この正面カバー１４は、両側部が前カバー１２、後カバー１３の形状に沿った略台形状に形成され、下部に設けられたヒンジに軸支され、前方側に開放自在に構成されている。前カバー１２、後カバー１３、正面カバー１４は、筐体５と共に、コンベア３の全周囲を覆い、Ｘ線発生部１から発するＸ線の外部への漏れを防止している。
【００２９】
図３は、コンベア３部分に設けられる遮蔽壁を説明するための概要図（上面図）である。同図には、筐体５内部におけるコンベア３の前半部（開口部１５〜照射領域Ａまで）が示されている。
筐体５内部の収容部５ａ部分には、コンベア３の直上に壁装置２０が設けられる。この壁装置２０は、Ｘ線発生部１から発するＸ線を開口部１５，１６から外部に漏れない形状で形成されている。
【００３０】
コンベア３の搬送方向Ｘの中央位置にＸ線発生部１が設けられているとして、筐体５の両側に設けられている開口部１５，１６から見て、このＸ線発生部１でのＸ線の照射領域Ａが見通せない状態となるよう搬送方向Ｘに対し所定角度の傾斜を有して壁装置２０を設ける。
この壁装置２０は、例えば、上端が収容部５ａ上部位置、即ち筐体５側に取り付けられて懸垂支持され、下端はできるだけコンベア３の搬送ベルト１０に近接して設けられる。この他、壁装置２０は、前、後、正面カバー１２〜１４に分割して取り付けられる構成にもできる。
【００３１】
図３（ａ）に示すように、壁装置２０（一対の壁２０Ａ，２０Ｂ）は、開口部１５（１６）の開口幅Ｗ１、及び搬送方向の長さＷ３に基づき傾斜状に設けられる。なお、照射領域Ａにおける開口幅Ｗ２（被検査物の通過幅に相当）は開口部１５の開口幅Ｗ１と略同一であるとする。
図３（ａ）に示す如く、開口部１５と照射領域Ａの間で単純な直線状の壁装置２０（２０Ａ，２０Ｂ）を設けただけでは、照射領域ＡにおけるＸ線が開口部１５から見通すことができ、開口部１５から直接外部に漏洩してしまう。
【００３２】
このため、図３（ｂ）、（ｃ）に示すように、壁装置２０内に屈曲ポイントを１カ所設けて壁装置２０の形状を屈曲させる。
図３（ｂ）の構成を説明する。
開口部１５（入口）の幅方向両端で奥側の側縁は第１ポイントＰ１、手前側の側縁は第２ポイントＰ２である。Ｘ線照射領域Ａ側では、第２ポイントＰ２よりも幅方向で手前側（装置の前方側）に第３ポイントＰ３を、また、第３ポイントＰ３よりも幅方向で手前側に第４ポイントＰ４を配置する。第１ポイントＰ１と第３ポイントＰ３を結ぶ線は、第１仮想直線Ｌ１とする。
【００３３】
そして、第２ポイントＰ２からコンベアの搬送方向Ｘに沿って仮想線を延出させ、第１の仮想直線Ｌ１を超えた位置に第１の屈曲ポイントＴ１を設ける。
そして、第１の屈曲ポイントＴ１を中心として、第２ポイントＰ２と、第４ポイントＰ４を結ぶよう壁２０Ｂａ、２０Ｂｂを設ける。壁２０Ｂａ、２０Ｂｂにそれぞれ対向させてもう一方の壁２０Ａａ，２０Ａｂを設ける。
この壁装置２０Ａ，２０Ｂは、互いに開口幅Ｗ１（Ｗ２）を隔てて平行に設けられる。
【００３４】
これにより、Ｘ線照射領域ＡのＸ線は屈曲ポイントＴ１の配置によりいずれかの壁に当たり、入口である開口部１５から直接外部に漏れない。
ここで、一方の壁２０Ａ側（２０Ａａ、２０Ａｂ）を全て設けた場合、他方の壁２０Ｂ側は、２０Ｂａあるいは２０Ｂｂのうちいずれか一方を設ければ、Ｘ線の外部漏洩を防止できる。
【００３５】
また、図３（ｃ）に示す構成にもできる。
開口部１５（入口）の幅方向両端で奥側の側縁は第１ポイントＰ１、手前側の側縁は第２ポイントＰ２である。Ｘ線照射領域Ａ側では、第１ポイントＰ１よりも幅方向で奥側（装置の奥側）に第５ポイントＰ５を、また、第５ポイントＰ５よりも幅方向で奥側に第６ポイントＰ６を配置する。第２ポイントＰ２と第５ポイントＰ５を結ぶ線は、第２仮想直線Ｌ２とする。
【００３６】
第１ポイントＰ１からコンベアの搬送方向Ｘに沿って仮想線を延出させ、第２仮想直線Ｌ２を超えた位置に第２の屈曲ポイントＴ２を設ける。
そして、第２の屈曲ポイントＴ２を中心として、第１ポイントＰ１と、第６ポイントＰ６を結ぶよう壁２０Ａａ、２０Ａｂを設ける。壁２０Ａａ、２０Ａｂにそれぞれ対向させてもう一方の壁２０Ｂａ，２０Ｂｂを設ける。
この壁装置２０Ａ，２０Ｂは、互いに開口幅Ｗ１（Ｗ２）を隔てて平行に設けられる。
【００３７】
これにより、Ｘ線照射領域ＡのＸ線は屈曲ポイントＴ２の配置によりいずれかの壁に当たり、入口である開口部１５から直接外部に漏れない。
ここで、一方の壁２０Ｂ側（２０Ｂａ、２０Ｂｂ）を全て設けた場合、他方の壁２０Ａ側は、２０Ａａあるいは２０Ａｂのうちいずれか一方を設ければ、Ｘ線の外部漏洩を防止できる。
【００３８】
図４に示す壁装置２０は、内部の２つの屈曲ポイントを設けた例である。
まず、図４（ａ）に示す構成を説明する。
この構成は、図３（ｂ）を用いて説明した壁装置２０と同様に、開口部１５に対し、Ｘ線照射領域Ａ側が手前側に位置している。また、同様に開口部１５の両端は第１ポイントＰ１、第２ポイントＰ２、Ｘ線照射領域Ａの両端は第３ポイントＰ３、第４ポイントＰ４である。
そして、第１ポイントＰ１と第２ポイントＰ２間は第３仮想直線Ｌ３とし、第３ポイントＰ３と第４ポイントＰ４間は第４仮想直線Ｌ４とする。
【００３９】
そして、図示のように、開口部１５側の第１ポイントＰ１および第２ポイントＰ２からコンベアの搬送方向Ｘに沿ってそれぞれ壁２０Ａｃ、２０Ｂｃを延出させ、任意の位置に第３の屈曲ポイントＴ３および第４の屈曲ポイントＴ４を設ける。
一方、Ｘ線照射領域Ａ側の第３ポイントＰ３および第４ポイントＰ４からコンベアの搬送方向Ｘの逆方向に沿ってそれぞれ壁２０Ａａ、２０Ｂａを延出させ、任意の位置に第５の屈曲ポイントＴ５、および第６の屈曲ポイントＴ６を設ける。
【００４０】
そして、第３の屈曲ポイントＴ３と第５の屈曲ポイントＴ５を壁２０Ａｂで結び、第４の屈曲ポイントＴ４と前記第６の屈曲ポイントＴ６を壁２０Ｂｂで結ぶ。
この際、第４の屈曲ポイントＴ４と、第５の屈曲ポイントＴ５を通過する第５仮想直線Ｌ５が第３の仮想直線Ｌ３と第４の仮想直線Ｌ４の少なくとも一方と交わらないよう、これら第４，第５の屈曲ポイントＴ４，Ｔ５を設定する。
これにより、Ｘ線照射領域ＡのＸ線は第５仮想直線Ｌ５が示すようにいずれかの壁に当たり、入口である開口部１５から直接外部に漏れない。
【００４１】
ここで、一方の壁２０Ａ側（２０Ａａ、２０Ａｂ、２０Ａｃ）を全て設けた場合、他方の壁２０Ｂ側は、２０Ｂｃあるいは２０Ｂｂのうちいずれか一方を設ければＸ線の外部漏洩を防止できる。
そして、図示のように、複数の屈曲ポイントＴを設ける場合には、必ずしも屈曲ポイントＴの位置は仮想直線を越えなくてもＸ線の外部漏洩を防止できる。
【００４２】
図４（ｂ）に示す構成は、図４（ａ）と対称な形状であり、開口部１５側に対しＸ線照射領域Ａ側が装置の奥側に位置した例である。そして、図３（ｃ）の基本構成を用い、２つの屈曲ポイントＴ７〜Ｔ１０を設けたものである。
そして、第１ポイントＰ１と第２ポイントＰ２間は第３仮想直線Ｌ３とし、第５ポイントＰ５と第６ポイントＰ６間は第６仮想直線Ｌ６とする。
【００４３】
この構成において、第７の屈曲ポイントＴ７と第９の屈曲ポイントＴ９をつなぐ第７仮想直線Ｌ７が第３仮想直線Ｌ３と第４の仮想直線Ｌ４の少なくとも一方と交わらないよう屈曲ポイントＴ７，Ｔ９を設定する。
これにより、Ｘ線照射領域ＡのＸ線は第７仮想直線Ｌ７が示すようにいずれかの壁に当たり、入口である開口部１５から直接外部に漏れない。
ここで、一方の壁２０Ｂ側（２０Ｂａ、２０Ｂｂ、２０Ｂｃ）を全て設けた場合、他方の壁２０Ａ側は、２０Ａｃあるいは２０Ａｂのうちいずれか一方を設ければＸ線の外部漏洩を防止できる。
【００４４】
このように、壁装置２０内部で１つ、あるいは複数箇所屈曲させることにより、開口部１５，１６からは、照射領域Ａ上のライン全ての箇所が見通せない状態となり、照射領域ＡのＸ線が開口部１５，１６から外部漏洩することを防止できる。
【００４５】
図３、図４に示す各構成は、コンベア３の開口部１５側の前半部であり、開口部１６側の後半部には、前半部の構成を照射領域Ａを中心として開口部１６につながる線対称な配置で同一構成の壁装置２１を設ければよい。
【００４６】
図５、図６は、コンベア３の後半部に設けられる壁装置２１を示す図である。以下、図に記載の各ポイント、屈曲ポイント、仮想直線の配置についてのみ説明する。
【００４７】
図５（ａ）は、図３（ｂ）の構成を対称にして後半部に配置した図である。
開口部１６（出口）の幅方向両端で奥側の側縁は第７ポイントＰ７、手前側の側縁は第８ポイントＰ８である。Ｘ線照射領域Ａ側では、第８ポイントＰ８よりも幅方向で手前側（装置の前方側）に第９ポイントＰ９を、また、第９ポイントＰ９よりも幅方向で手前側に第１０ポイントＰ１０を配置する。第７ポイントＰ７と第９ポイントＰ９を結ぶ線は、第８仮想直線Ｌ８とする。
そして、第８ポイントＰ８からコンベアの搬送方向Ｘと逆方向に沿って仮想線を延出させ、第８の仮想直線Ｌ８を超えた位置に第１１の屈曲ポイントＴ１１を設ける。
【００４８】
図５（ｂ）は、図３（ｃ）の構成を対称にして後半部に配置した図である。
開口部１６（出口）は第７，第８ポイントＰ７，Ｐ８である。
Ｘ線照射領域Ａ側では、第７ポイントＰ７よりも幅方向で奥側（装置の奥側）に第１１ポイントＰ１１を、また、第１１ポイントＰ１１よりも幅方向で奥側に第１２ポイントＰ１２を配置する。第８ポイントＰ８と第１１ポイントＰ１１を結ぶ線は、第９仮想直線Ｌ９とする。
第７ポイントＰ７からコンベアの搬送方向Ｘと逆方向に沿って仮想線を延出させ、第９仮想直線Ｌ９を超えた位置に第１２の屈曲ポイントＴ１２を設ける。
【００４９】
図６（ａ）は、図４（ａ）の構成を対称にして後半部に配置した図である。
開口部１６の両端は第７ポイントＰ７、第８ポイントＰ８、Ｘ線照射領域Ａの両端は第９ポイントＰ９、第１０ポイントＰ１０である。
そして、第７ポイントＰ７と第８ポイントＰ８間は第１０仮想直線Ｌ１０とし、第９ポイントＰ９と第１０ポイントＰ１０間は第１１仮想直線Ｌ１１とする。
【００５０】
開口部１６側の第７ポイントＰ７および第８ポイントＰ８からコンベアの搬送方向Ｘと逆方向に沿ってそれぞれ第１３の屈曲ポイントＴ１３および第１４の屈曲ポイントＴ１４を設ける。
一方、Ｘ線照射領域Ａ側の第９ポイントＰ９および第１０ポイントＰ１０からコンベアの搬送方向Ｘに沿ってそれぞれ第１５の屈曲ポイントＴ１５、および第１６の屈曲ポイントＴ１６を設ける。
そして、第１４の屈曲ポイントＴ１４と、第１５の屈曲ポイントＴ１５を通過する第１２仮想直線Ｌ１２が、第１０仮想直線Ｌ１０と第１１仮想直線Ｌ１１の少なくとも一方と交わらないよう、これら第１４，第１５の屈曲ポイントＴ１４，Ｔ１５を設定する。
【００５１】
図６（ｂ）は、図４（ｂ）の構成を対称にして後半部に配置した図である。
開口部１６の両端は第７ポイントＰ７、第８ポイントＰ８、Ｘ線照射領域Ａの両端は第１１ポイントＰ１１、第１２ポイントＰ１２である。
そして、第７ポイントＰ７と第８ポイントＰ８間は第１０仮想直線Ｌ１０とし、第１１ポイントＰ１１と第１２ポイントＰ１２間は第１３仮想直線Ｌ１３とする。
【００５２】
開口部１６側の第７ポイントＰ７および第８ポイントＰ８からコンベアの搬送方向Ｘと逆方向に沿ってそれぞれ第１７の屈曲ポイントＴ１７および第１８の屈曲ポイントＴ１８を設ける。
一方、Ｘ線照射領域Ａ側の第１１ポイントＰ１１および第１２ポイントＰ１２からコンベアの搬送方向Ｘに沿ってそれぞれ第１９の屈曲ポイントＴ１９、および第２０の屈曲ポイントＴ２０を設ける。
この構成において、第１７の屈曲ポイントＴ１７と、第１９の屈曲ポイントＴ１９をつなぐ第１４仮想直線Ｌ１４が、第１０仮想直線Ｌ１０と第１３仮想直線Ｌ１３の少なくとも一方と交わらないよう屈曲ポイントＴ１７，Ｔ１９を設定する。
【００５３】
図７は、壁装置２０の構成例を示す平面図である。
図７及び図２に示すように、コンベア３は筐体５の収容部５ａ内に設けられ、被検査物Ｗを略水平に搬送する。収容部５ａの周囲は、筐体５及び前後正面のカバー１２，１３，１４によって開口部１５、１６からのＸ線の漏洩が少なくなるよう構成されている。
【００５４】
加えて、この収容部５ａには、コンベア３の上面に開口部１５、１６からのＸ線の漏洩を防止する壁装置２０，２１が設けられる。壁装置２０は、図４（ａ）と同様の屈曲形状を有するコンベアの搬送方向前半部である。壁装置２１は、図６（ａ）と同様の屈曲形状を有するコンベア３の搬送方向後半部であり、壁装置２０と同様の傾斜を有する壁を配置してなる。
【００５５】
この壁装置２０、２１における入口２０ａ、出口２０ｂの開口幅は、被検査物Ｗが通過し得るできるだけ狭い幅（開口幅Ｗ１）を有するよう開口部１５，１６部分を塞ぐ閉塞壁２０Ｃ，２１Ｃを備えてなる。
【００５６】
筐体５内部において、先ず、開口部１５〜照射領域Ａの前半部には、図４（ａ）に示したように、屈曲ポイントＴ３〜Ｔ６を設定して、コンベア３の搬送方向Ｘに対し、所定角度傾斜する壁装置２０（２０Ａ、２０Ｂ）を設ける。
壁装置２０は、照射領域Ａ側と開口部１５側にそれぞれコンベア３の搬送方向に沿った壁２０Ａａ、２０Ａｃ、２０Ｂａ、２０Ｂｃを備える。これら壁２０Ａａ、２０Ａｃ、２０Ｂａ、２０Ｂｃ間には、屈曲ポイントＴ同士を結合する壁２０Ａｂ、２０Ｂｂを設ける。
【００５７】
また、照射領域Ａ〜開口部１６の後半部には、図６（ａ）に示したように、屈曲ポイントＴ７〜Ｔ１０を設定し、照射領域Ａを基準として前半部とほぼ同一の壁装置２１の構成を設ける。
壁装置２１は、屈曲ポイントＴの設定により、照射領域Ａ側と開口部１６側にそれぞれコンベア３の搬送方向に沿った壁２１Ａａ、２１Ａｃ、２１Ｂａ、２１Ｂｃを備える。これら壁２１Ａａ、２１Ａｃ、２１Ｂａ、２１Ｂｃ間には、屈曲ポイントＴ同士を結合する壁２１Ａｂ、２１Ｂｂを設ける。
なお、壁２０Ｂｂ、壁２１Ａｂは、被検査物Ｗ搬送時の付勢方向ではないため、図示のように設けなくても良い。
【００５８】
筐体５内部におけるＸ線の照射領域Ａは、Ｘ線発生部１からの照射Ｘ線を図示の如く、被検査物Ｗの通過位置部分にのみ照射させるよう、スリットで規制する構成の他、図中点線で示す如く、筐体５内でコンベア３の幅全域に渡って照射させる構成（図１記載の状態）のまま使用することもできる。この場合、図示のように、拡大した照射領域Ａで反射したＸ線が直接出口２０ｂから外部漏洩しないよう遮蔽するために、壁２１Ａｂ、あるいは遮蔽壁２１Ａｄを設ける。
【００５９】
次に、図７を用いて上記構成による被検査物Ｗの搬送動作、及びＸ線漏洩防止の作用について説明する。図７には、便宜上、図４（ａ）、図６（ａ）の各部に一致する屈曲ポイントＴ３〜Ｔ１０を記載してある。
被検査物Ｗは、前段の搬送部によって開口部１５部分から筐体５内部のコンベア３上に取り込まれ、コンベア３によって水平状態のまま搬送方向Ｘに搬送される。被検査物Ｗは、前半部において、壁装置２０の入口２０ａから壁２０Ａｃ，２０Ｂｃ部分を通過後、壁２０Ａｂに接触し、この壁２０Ａｂの傾斜に沿ってＹ方向に移動する。この際、被検査物Ｗは、コンベア３上を滑る形で移動する。壁２０Ａｂの傾斜が終了すると、被検査物Ｗは再度、搬送方向Ｘに沿って壁２０Ａａ，２０Ｂａ部分を通過する。
【００６０】
この壁２０Ａａ，２０Ｂａ部分でＸ線の照射領域Ａ部分を通過し、この通過によって被検査物Ｗ内の異物の混入の有無が検出される。
この後、被検査物Ｗは、検査後の後半部に移動する。壁２１Ａａ，２１Ｂａを通過後、壁２１Ｂｂに接触し、この壁２１Ｂｂの傾斜に沿ってＹ方向に移動する。壁２１Ｂｂの傾斜が終了すると、被検査物Ｗは開口部１６部分に設けられた壁２１Ａｃ，２１Ｂｃ部分を搬送方向Ｘに沿って移動し、後段の搬送部（例えば選別機）に排出される。
【００６１】
そして、被検査物ＷをＸ線検査する照射領域ＡのＸ線は、入口２０ａ，出口２０ｂの両側にそれぞれ放射状に進行するが、壁装置２０，２１のいずれかの壁２０Ａａ，２０Ａｂ，２０Ｂａ，２０Ｂｂ，２０Ａｃ，２０Ｂｃ，２１Ａａ，２１Ａｂ，２１Ｂａ，２１Ｂｂ，２１Ａｃ，２１Ｂｃに当たり、直接、入口２０ａ，出口２０ｂ部分から外部に漏洩することがない。
即ち、壁装置２０，２１の傾斜により、入口２０ａ，出口２０ｂ部分から見て、照射領域Ａ上のライン全ての箇所が直接見通せない状態となり、照射領域Ａに照射され反射したＸ線が入口２０ａ，出口２０ｂから外部漏洩することを防止できる。同時に、コンベア３の搬送長（装置の機長）を長くすることなく、短い機長であってもＸ線の外部漏洩を防止できるようになる。
【００６２】
そして、コンベア３は、被検査物Ｗを水平に搬送させるため、被計量物が軽量であったり、背が高くても、この被検査物Ｗが倒れることを防止し、安定して搬送させることができる。
【００６３】
上記構成では、搬送部３の搬送方向Ｘに対し、前半部の壁装置２０と、後半部の壁２１を照射領域Ａを中心に線対称に配置する構成とした。これにより、コンベア３の幅方向（筐体５の奥行方向Ｙ）を最小限にできる。これに限らず、前段及び後段の搬送部に対する被計量物の受け渡し位置に対応して、後半部の壁２１の傾斜方向を逆にし出口２０ｂを装置前方に配置することもできる。
【００６４】
図８は、図３（ｂ）に示した壁装置２０の変形例を示す図である。
上記説明した壁装置２０は、屈曲ポイントＴを設定して、直線状の壁で構成した例を説明したが、これに限らず、図示のように、屈曲ポイントＴを通過する曲線状の壁で構成することもできる。図示のように円弧状に屈曲する壁装置２０をであっても、照射位置ＡのＸ線が入口１５，あるいは出口１６から外部漏洩しないよう構成できる。
【００６５】
上記実施形態で説明した壁装置２０、２１は、金属の板体を折曲形成して構成できるため、既存のＸ線異物検出装置に対しても用いることができ、筐体５の収容部５ａに設置するだけで開口部１５、１６からのＸ線の外部漏洩を防止できるようになる。
【００６６】
次に、本発明の他の実施形態を説明する。以下に説明する実施形態は壁装置２０，２１（図３、５）の変形例である。
図９の構成を説明する。図９（ａ），（ｂ）の各構成は、図３（ｂ）、（ｃ）の変形例であり、開口部１５（入口）側における壁装置２０，２１の配置を逆にしたものである。
【００６７】
図９（ａ）の構成を説明する。開口部１５（入口）の幅方向両端で奥側の側縁は第１ポイントＰ１、手前側の側縁は第２ポイントＰ２である。Ｘ線照射領域Ａ側では、第２ポイントＰ２よりも幅方向で手前側（装置の前方側）に第３ポイントＰ３を、また、第３ポイントＰ３よりも幅方向で手前側に第４ポイントＰ４を配置する。第２ポイントＰ２と第４ポイントＰ４を結ぶ線は、第１６仮想直線Ｌ１６とする。
【００６８】
そして、第３ポイントＰ３からコンベアの搬送方向Ｘと逆方向に沿って仮想線を延出させ、第１６の仮想直線Ｌ１６を超えた位置に第２１の屈曲ポイントＴ２１を設ける。
そして、第２１の屈曲ポイントＴ２１を中心として、第１ポイントＰ１と、第３ポイントＰ３を結ぶよう壁２０Ａａ、２０Ａｂを設ける。壁２０Ａａ、２０Ａｂにそれぞれ対向させてもう一方の壁２０Ｂａ，２０Ｂｂを設ける。
この壁装置２０Ａ，２０Ｂは、互いに開口幅Ｗ１（Ｗ２）を隔てて平行に設けられる。
【００６９】
これにより、Ｘ線照射領域ＡのＸ線は屈曲ポイントＴ２１の配置によりいずれかの壁２０Ａａ，２０Ａｂに当たり、入口である開口部１５から直接外部に漏れない。
ここで、一方の壁２０Ａ側で被検査物Ｗを斜めに案内させるための壁２０Ａｂを設ければ、壁２０Ａａ側は、コンベアの搬送方向Ｘと平行であるため被検査物Ｗの搬送に支障がなく設けなくても良く、壁２０ＡｂだけでＸ線の外部漏洩を防止できる。また、他方の壁２０Ｂ（２０Ｂａ，２０Ｂｂ）はいずれも直接のＸ線漏洩に関与せず、また被検査物Ｗの搬送に支障がないため必要に応じ設けなくても良い。即ち、最小の構成では壁２０Ａｂのみ設けてＸ線の外部漏洩の防止と被検査物Ｗの搬送が行える。
【００７０】
次に、図９（ｂ）の構成を説明する。開口部１５（入口）の幅方向両端で奥側の側縁は第１ポイントＰ１、手前側の側縁は第２ポイントＰ２である。Ｘ線照射領域Ａ側では、第１ポイントＰ１よりも幅方向で奥側（装置の奥側）に第５ポイントＰ５を、また、第５ポイントＰ５よりも幅方向で奥側に第６ポイントＰ６を配置する。第１ポイントＰ１と第６ポイントＰ６を結ぶ線は、第１７仮想直線Ｌ１７とする。
【００７１】
第５ポイントＰ５からコンベアの搬送方向Ｘと逆方向に沿って仮想線を延出させ、第１７仮想直線Ｌ１７を超えた位置に第２２の屈曲ポイントＴ２２を設ける。
そして、第２２の屈曲ポイントＴ２２を中心として、第２ポイントＰ２と、第５ポイントＰ５を結ぶよう壁２０Ｂａ、２０Ｂｂを設ける。壁２０Ｂａ、２０Ｂｂにそれぞれ対向させてもう一方の壁２０Ａａ，２０Ａｂを設ける。
この壁装置２０Ａ，２０Ｂは、互いに開口幅Ｗ１（Ｗ２）を隔てて平行に設けられる。
【００７２】
これにより、Ｘ線照射領域ＡのＸ線は屈曲ポイントＴ２２の配置によりいずれかの壁２０Ｂａ，２０Ｂｂに当たり、入口である開口部１５から直接外部に漏れない。
ここで、一方の壁２０Ａ側で被検査物Ｗを斜めに搬送させるための壁２０Ｂｂを設ければ、壁２０Ｂａ側は、コンベアの搬送方向Ｘと平行であるため被検査物Ｗの搬送に支障がなく設けなくても良く、壁２０ＢｂだけでＸ線の外部漏洩を防止できる。また、他方の壁２０Ａ（２０Ａａ，２０Ａｂ）はいずれも直接のＸ線漏洩に関与せず、また被検査物Ｗの搬送に支障がないため必要に応じ設けなくても良い。即ち、最小の構成では壁２０Ｂｂのみ設けてＸ線の外部漏洩の防止と被検査物Ｗの搬送が行える。
【００７３】
次に図１０（ａ）は、図９（ａ）の構成を対称にして後半部に配置した図である。開口部１６（出口）の幅方向両端で奥側の側縁は第７ポイントＰ７、手前側の側縁は第８ポイントＰ８である。Ｘ線照射領域Ａ側では、第８ポイントＰ８よりも幅方向で手前側（装置の前方側）に第９ポイントＰ９を、また、第９ポイントＰ９よりも幅方向で手前側に第１０ポイントＰ１０を配置する。第８ポイントＰ８と第１０ポイントＰ１０を結ぶ線は、第１８仮想直線Ｌ１８とする。
【００７４】
そして、第９ポイントＰ９からコンベアの搬送方向Ｘに沿って仮想線を延出させ、第１８の仮想直線Ｌ１８を超えた位置に第２３の屈曲ポイントＴ２３を設ける。
そして、第２３の屈曲ポイントＴ２３を中心として、第７ポイントＰ７と、第９ポイントＰ９を結ぶよう壁２１Ａａ、２１Ａｂを設ける。壁２１Ａａ、２１Ａｂにそれぞれ対向させてもう一方の壁２１Ｂａ，２１Ｂｂを設ける。
この壁装置２１Ａ，２１Ｂは、互いに開口幅Ｗ１（Ｗ２）を隔てて平行に設けられる。
【００７５】
これにより、Ｘ線照射領域ＡのＸ線は屈曲ポイントＴ２３の配置によりいずれかの壁２１Ａａ，２１Ａｂに当たり、出口である開口部１６から直接外部に漏れない。
ここで、一方の壁２１Ａ側で壁２１Ａａ、２１Ａｂのいずれか一方を設けるだけでＸ線の外部漏洩を防止できる。また、他方の壁２１Ｂ（２１Ｂａ，２１Ｂｂ）については、直接のＸ線漏洩に関与しないが、壁２１Ｂｂ側については被検査物Ｗを開口部１６側に斜めに案内するために必要である。壁２１Ｂａは必要に応じ設けなくても良い。即ち、壁２１Ａａ，２１Ａｂの一方と、壁２１ＢｂでＸ線の外部漏洩の防止と被検査物Ｗの搬送が行える。
【００７６】
図１０（ｂ）は、図９（ｂ）の構成を対称にして後半部に配置した図である。開口部１６（出口）の幅方向両端で奥側の側縁は第７ポイントＰ７、手前側の側縁は第８ポイントＰ８である。Ｘ線照射領域Ａ側では、第７ポイントＰ７よりも幅方向で奥側に第１１ポイントＰ１１を、また、第１１ポイントＰ１１よりも幅方向で奥側に第１２ポイントＰ１２を配置する。第７ポイントＰ７と第１２ポイントＰ１２を結ぶ線は、第１９仮想直線Ｌ１９とする。
【００７７】
第１１ポイントＰ１１からコンベアの搬送方向Ｘに沿って仮想線を延出させ、第１９仮想直線Ｌ１９を超えた位置に第２４の屈曲ポイントＴ２４を設ける。
そして、第２４の屈曲ポイントＴ２４を中心として、第８ポイントＰ８と、第１１ポイントＰ１１を結ぶよう壁２１Ｂａ、２１Ｂｂを設ける。壁２１Ｂａ、２１Ｂｂにそれぞれ対向させてもう一方の壁２１Ａａ，２１Ａｂを設ける。
この壁装置２１Ａ，２１Ｂは、互いに開口幅Ｗ１（Ｗ２）を隔てて平行に設けられる。
【００７８】
これにより、Ｘ線照射領域ＡのＸ線は屈曲ポイントＴ２４の配置によりいずれかの壁２１Ｂａ，２１Ｂｂに当たり、出口である開口部１６から直接外部に漏れない。
ここで、一方の壁２１Ｂ側で壁２１Ｂａ、２１Ｂｂのいずれか一方を設けるだけでＸ線の外部漏洩を防止できる。また、他方の壁２１Ａ（２１Ａａ，２１Ａｂ）については、直接のＸ線漏洩に関与しないが、壁２１Ａｂ側については被検査物Ｗを開口部１６側に斜めに案内するために必要である。壁２１Ａａは必要に応じ設けなくても良い。即ち、壁２１Ｂａ，２１Ｂｂの一方と、壁２１ＡｂでＸ線の外部漏洩の防止と被検査物Ｗの搬送が行える。
【００７９】
【発明の効果】
本発明によれば、筐体内に壁装置を設けることにより入口、出口からのＸ線の漏れを防止できるようになる。壁装置は、搬送方向に対し屈曲して構成されているため、搬送長さを取らず機長が短くても出入口からのＸ線漏洩を防止できる効果を有する。
また、被検査物は壁装置により、搬送方向に対し角度を有する方向に移動するが、コンベア上を水平に搬送されるため、被検査物が倒れることなく安定状態のまま搬送できるようになる。
【図面の簡単な説明】
【図１】本発明のＸ線異物検出装置の外観を示す斜視図。
【図２】同装置の正面図。
【図３】１つの屈曲部を有する前半部の壁装置を示す概要図。
【図４】２つの屈曲部を有する前半部の壁装置を示す概要図。
【図５】１つの屈曲部を有する後半部の壁装置を示す概要図。
【図６】２つの屈曲部を有する後半部の壁装置を示す概要図。
【図７】壁装置の構成を示す平面図。
【図８】壁装置の他の構成例を示す概要図。
【図９】１つの屈曲部を有する前半部の壁装置の他の例を示す概要図。
【図１０】１つの屈曲部を有する後半部の壁装置の他の例を示す概要図。
【図１１】従来のＸ線異物検出装置におけるＸ線漏洩を防止するための構成図。
【図１２】従来のＸ線異物検出装置におけるＸ線漏洩を防止するための他の構成図。
【図１３】従来のＸ線異物検出装置におけるＸ線漏洩を防止するための他の構成図。
【符号の説明】
１…Ｘ線発生部、２…Ｘ線検出部、３…コンベア、５…筐体、５ａ…収容部、１５，１６…開口部、２０、２１（２０Ａ，２０Ｂ，２１Ａ，２１Ｂ）…壁装置、２０Ａａ、２０Ａｂ、２０Ａｃ、２０Ｂａ、２０Ｂｂ、２０Ｂｃ…壁、Ａ…Ｘ線の照射領域、Ｌ（Ｌ１〜Ｌ１９）…仮想直線、Ｐ（Ｐ１〜Ｐ１２）…ポイント、Ｔ（Ｔ１〜Ｔ２４）…屈曲ポイント、Ｗ…被検査物。
【図１】
0003728258.tif 000002
【図２】
0003728258.tif 000003
【図３】
0003728258.tif 000004
【図４】
0003728258.tif 000005
【図５】
0003728258.tif 000006
【図６】
0003728258.tif 000007
【図７】
0003728258.tif 000008
【図８】
0003728258.tif 000009
【図９】
0003728258.tif 000010
【図１０】
0003728258.tif 000011
【図１１】
0003728258.tif 000012
【図１２】
0003728258.tif 000013
【図１３】
0003728258.tif 000014